(57)【要約】      （修正有）【課題】中継送信により連動監視の信頼性を向上させると共に中継器の有無を制御可能として適切な範囲で中継送信を行う。【解決手段】イベント処理部６０は、センサ部３４による異常検出、操作部３８による警報停止、電池電源４０又はセンサ部３４の障害検出、センサ部３４の異常検出がなくなる異常復旧、及び電池電源４０又センサ部３４の障害検出が無くなる障害復旧を含むイベントを検知した時に、連動元のイベント対応処理を行った後に、検知イベントを示すイベント信号を連動先の警報器に送信させ、一方、連動先の警報器からイベント信号を受信した時に、連動先のイベント対応処理を行わせる。中継制御部６２は、連動先の住警器に送信するイベント信号に中継の有無を示す中継制御情報を含めて送信し、一方、他の住警器からイベント信号を受信した時に、イベント信号に含まれる中継制御情報に基づいて中継の有無を制御する。【選択図】図３
2010257141.tif 000002
【特許請求の範囲】
【請求項１】
他の警報器からイベント信号を受信し、前記イベント信号を受信したときには、当該イベント信号に含まれる情報の少なくとも一部を含む中継イベント信号を第３の警報器へ送信する警報器に於いて、
前記イベント信号および中継イベント信号に中継の有無を示す中継制御情報を含めて送信し、一方、他の警報器から前記イベント信号または前記中継イベント信号を受信した時に、当該イベント信号または中継イベント信号に含まれる中継制御情報に基づいて中継の有無を制御する中継制御部を設けたことを特徴とする警報器。
【請求項２】
電源と、
監視エリアの物理現象を監視して信号を出力するセンサ部と、
前記センサ部の出力信号から異常の有無を判定する異常判定部と、
障害を検出する障害検出部と、
イベント信号を他の警報器との間で送受信する送受信回路部と、
警報を出力する報知部と、
警報停止操作手段を備えた操作部と、
前記異常判定部による異常有り、前記操作部による警報停止、前記障害検出部による電源の障害検出、前記センサ部の障害検出、前記異常判定部による前記センサ部の異常がなくなる異常復旧、及び前記障害検出部による電源の障害検出がなくなる電源障害復旧、センサ部の障害検出がなくなる障害復旧のうち少なくとも１つの状態変化をイベントとして検知するイベント検知部と、
前記イベント検知部でイベントを検知した際には、連動元のイベント対応処理を行うと共に、検知イベントを示すイベント信号を連動先の警報器に送信させ、一方、連動元の警報器からイベント信号を受信した時に、連動先のイベント対応処理を行わせるイベント処理部と、
を備えた警報器に於いて、
連動先の警報器に送信するイベント信号に中継の有無を示す中継制御情報を含めて送信し、一方、他の警報器からイベント信号を受信した時に、イベント信号に含まれる中継制御情報に基づいて中継の有無を制御する中継制御部を設けたことを特徴とする警報器。
【請求項３】
請求項２記載の警報器に於いて、前記異常判定部は、前記イベント検知部に含まれることを特徴とする警報器。
【請求項４】
請求項１又は２記載の警報器に於いて、前記中継制御部は、イベント種別に応じて中継の有無を予め登録し、発生イベントに対応して登録している中継有り又は中継無しの中継制御情報をイベント信号に設定して送信することを特徴とする警報器。
【請求項５】
請求項４記載の警報器に於いて、前記中継制御部は、他の警報器から受信したイベント信号または中継イベント信号に中継無しの中継制御情報が含まれていた場合、予め定めたイベント種別についてはイベント信号を中継することを特徴とする警報器。
【請求項６】
請求項１又は２記載の警報器に於いて、
前記イベント処理部は、イベント信号または中継イベント信号に送信毎に順次増加する連続番号と送信元ＩＤを含めて送信し、
前記中継制御部は、他の警報器からイベント信号または中継イベント信号を受信した時に、イベント信号または中継イベント信号に含まれる連続番号と送信元ＩＤの組を、既に受信済みの連続番号と送信元ＩＤの組と比較し、一致した場合はイベント信号または中継イベント信号の中継を終了させることを特徴とする警報器。
【請求項７】
請求項１又は２記載の警報器に於いて、
前記中継制御部は、連動元又は中継元の警報器からイベント信号または中継イベント信号を受信した時に、連動関係にある他の警報器と異なるタイミングで中継イベント信号を中継送信することを特徴とする警報器。
【請求項８】
請求項２記載の警報器に於いて、前記イベント処理部は、前記センサ部からの異常検出信号を受けて前記イベント検知部で異常有りのイベントを検知したときには、連動元を示す異常警報を出力させると共に、異常を示すイベント信号を連動先の警報器に送信させ、一方、連動元又は中継元の警報器から異常を示すイベント信号または中継イベント信号を受信した時に、連動先を示す異常警報を出力させる異常監視部を備えたことを特徴とする警報器。
【請求項９】
請求項２記載の警報器に於いて、前記イベント処理部は、前記操作部の警報停止信号を受けて、連動元を示す警報を停止させると共に、警報停止を示すイベント信号を連動先の警報器に送信させ、一方、連動元又は中継元の警報器から警報停止を示すイベント信号または中継イベント信号を受信した時に、連動先を示す警報を停止させる警報停止部とを備えたことを特徴とする警報器。
【請求項１０】
請求項２記載の警報器に於いて、前記イベント処理部は、異常復旧又は障害復旧を検出した時に、連動元を示す警報を停止させると共に、異常復旧を示すイベント信号を連動先の警報器に送信させ、一方、連動元又は中継元の警報器から異常復旧を示すイベント信号または中継イベント信号を受信した時に、連動先を示す警報を停止させて通常の状態に戻す復旧部を備えたことを特徴とする警報器。
【発明の詳細な説明】
【技術分野】
【０００１】
本発明は、火災などの異常を検出して警報すると共に他の警報器に信号を中継送信して警報を連動出力させる警報器に関する。
【背景技術】
【０００２】
従来、住宅における火災やガス漏れなどの異常を検出して警報する住宅用警報器（以下「住警器」という）が普及しており、近年にあっては、複数の住警器を相互に通信させ、１つの住警器の異常情報を他の警報器でも警報できる連動型の警報システムを構築できる住警器が実用化され、電池電源で動作し、無線で通信するものもある。
【０００３】
無線通信を行う連動型の警報システムにあっては、ある住警器で火災を検出した場合、火災を検出した連動元の住警器は、例えば「ウーウー火災警報器が作動しました  確認してください」との音声メッセージを出力し、一方、連動先の住警器では「ウーウー別の火災警報器が作動しました  確認してください」という音声メッセージを出力するようにしている。また、連動元の住警器の警報ランプは明滅とし、連動先の住警器の警報ランプは点滅とし、警報ランプの表示からも連動元か連動先かが区別できるようにしている。
【先行技術文献】
【特許文献】
【０００４】
【特許文献１】特開２００７−０９４７１９号公報
【発明の概要】
【発明が解決しようとする課題】
【０００５】
このような従来の連動警報を行う無線式の住警器にあっては、住宅内の各部屋のみならず、屋外のガレージや別棟といった離れた場所に設置した住警器を連動させる場合があり、また、住警器を設置した後の部屋の模様替えなどにより設置当初と通信環境が相違する場合もあり、設置当初に複数の住警器で相互に通信できることを確認していても、運用している間に、通信ができない住警器が存在する可能性があり、万一、火災を検出した時に、連動警報のできない住警器が発生し、連動監視の信頼性が充分に保証されない問題がある。
【０００６】
この問題を解決するため、本願発明者にあっては、連動元から火災を示す信号を受信した時に、受信した信号を他の警報に中継する機能を警報器に持たせるようにしている。このような中継機能を備えた警報器によれば、火災を示す無線信号は連動グループを構成する警報器により次々と中継され、離れた場所に設置した住警器であっても中継送信により確実に火災を示す信号を受信して警報することができる。
【０００７】
しかし、連動グループを構成する複数の住警器で信号を中継する場合、建物の隅やガレージなどの離れた場所に設置している住警器については、その先に同一グループの住警器が設置されることがないため、それ以上中継する必要がなく、無制限に中継すると同じ周波数帯を使用している近隣の無線システムに悪影響を及ぼすことも考えられる。
【０００８】
また、中継信号を受信した住警器がその中継信号を再び中継した際には、一度中継を終えた住警器で再受信されるなど、不必要な通信が繰り返し行われることになり、トラフィックが煩雑になるといった問題点があった。また中継送信の回数（段数）が増加することで、受信処理や送信処理に係る電力消費が増加して電池寿命に影響を及ぼすという問題もある。
【０００９】
本発明は、中継送信により連動監視の信頼性を向上させると共に中継器の有無を制御可能として適切な範囲で中継送信を行う警報器を提供することを目的とする。
【課題を解決するための手段】
【００１０】
本発明は、他の警報器からイベント信号を受信し、前記イベント信号を受信したときには、当該イベント信号に含まれる情報の少なくとも一部を含む中継イベント信号を第３の警報器へ送信する警報器に於いて、
イベント信号および中継イベント信号に中継の有無を示す中継制御情報を含めて送信し、一方、他の警報器からイベント信号または中継イベント信号を受信した時に、当該イベント信号または中継イベント信号に含まれる中継制御情報に基づいて中継の有無を制御する中継制御部を設けたことを特徴とする。
【００１１】
また本発明は、
電源と、
監視エリアの物理現象を監視して信号を出力するセンサ部と、
センサ部の出力信号から異常の有無を判定する異常判定部と、
障害を検出する障害検出部と、
イベント信号を他の警報器との間で送受信する送受信回路部と、
警報を出力する報知部と、
警報停止操作手段を備えた操作部と、
異常判定部による異常有り、操作部による警報停止、障害検出部による電源の障害検出、センサ部の障害検出、異常判定部による前記センサ部の異常がなくなる異常復旧、及び障害検出部による電源の障害検出がなくなる電源障害復旧、センサ部の障害検出がなくなる障害復旧のうち少なくとも１つの状態変化をイベントとして検知するイベント検知部と、
イベント検知部でイベントを検知した際には、連動元のイベント対応処理を行うと共に、検知イベントを示すイベント信号を連動先の警報器に送信させ、一方、連動元の警報器からイベント信号を受信した時に、連動先のイベント対応処理を行わせるイベント処理部と、
を備えた警報器に於いて、
連動先の警報器に送信するイベント信号に中継の有無を示す中継制御情報を含めて送信し、一方、他の警報器からイベント信号を受信した時に、イベント信号に含まれる中継制御情報に基づいて中継の有無を制御する中継制御部を設けたことを特徴とする。
【００１２】
ここで、異常判定部はイベント検知部に含まれる。
【００１３】
中継制御部は、イベント種別に応じて中継の有無を予め登録し、発生イベントに対応して登録している中継有り又は中継無しの中継制御情報をイベント信号に設定して送信する。
【００１４】
中継制御部は、他の警報器から受信したイベント信号または中継イベント信号に中継無しの中継制御情報が含まれていた場合、予め定めたイベント種別については中継イベント信号を送信する。
【００１５】
イベント処理部は、イベント信号または中継イベント信号に送信毎に順次増加する連続番号と送信元ＩＤを含めて送信し、
中継制御部は、他の警報器からイベント信号または中継イベント信号を受信した時に、イベント信号または中継イベント信号に含まれる連続番号と送信元ＩＤの組を、既に受信済みの連続番号と送信元ＩＤの組と比較し、一致した場合はイベント信号または中継イベント信号の中継を終了させる。
【００１６】
中継制御部は、連動元又は中継元の警報器からイベント信号または中継イベント信号を受信した時に、連動関係にある他の警報器と異なるタイミングで中継イベント信号を送信する。
【００１７】
イベント処理部は、センサ部からの異常検出信号を受けてイベント検知部で異常有りのイベントを検知したときには、連動元を示す異常警報を出力させると共に、異常を示すイベント信号を連動先の警報器に送信させ、一方、連動元又は中継元の警報器から異常を示すイベント信号または中継イベント信号を受信した時に、連動先を示す異常警報を出力させる異常監視部を備える。
【００１８】
イベント処理部は、操作部の警報停止信号を受けて、連動元を示す警報を停止させると共に、警報停止を示すイベント信号を連動先の警報器に送信させ、一方、連動元又は中継元の警報器から警報停止を示すイベント信号または中継イベント信号を受信した時に、連動先を示す警報を停止させる警報停止部とを備える。
【００１９】
イベント処理部は、異常復旧又は障害復旧を検出した時に、連動元を示す警報を停止させると共に、異常復旧を示すイベント信号を連動先の警報器に送信させ、一方、連動元又は中継元の警報器から異常復旧を示すイベント信号または中継イベント信号を受信した時に、連動先を示す警報を停止させて通常の状態に戻す復旧部を備える。
【発明の効果】
【００２０】
本発明によれば、異常などのイベントを検出した警報器からのイベント信号を受信した警報器は、イベント信号に基づく警報などの処理を行うと共に、受信したイベント信号を中継送信し、これによってイベントを検出した警報器から距離が離れているなどのため直接電波の届かない、または届き難い場所に設置している警報器や、部屋の模様替えなどで通信環境が悪化している警報器が存在しても、近い距離にある警報器を中継元としたイベント信号の通信によってイベント信号を確実に受信して異常などの連動警報を出すことができ、無線通信による連動警報の信頼性を向上することができる。
【００２１】
またイベント信号に中継の有無を制御するための情報が含まれることで、中継の有無を必要に応じて適切に制御することができる。
【００２２】
また、イベント信号の種別に応じて中継の有無を制御することで、緊急性の高い火災など異常を示すイベント信号については中継することで連動グループ内の警報器に確実に信号を伝送して連動警報を行わせ、一方、緊急性の低い障害などについては中継無しとし、電力消費の増加を抑制できる。
【００２３】
また火災発報などの緊急性の高いイベント信号については、イベント信号に中継無しが設定されていたとしても、強制的に中継を行って、若しくは中継無しの設定を許可しないことで連動警報の信頼性を向上することができる。
【００２４】
また、連動元がイベント信号に含めた連続番号と送信元符号の組が既に受信して中継したイベント信号と同じときは中継を終了し、同じイベント信号の中継が繰り返し行われてしまうことを防止する。
【００２５】
更に、同じイベント信号を複数の警報器で同時に受信して中継することが予想されるが、警報器毎に異なる遅延タイミングで中継送信することで、中継送信によるイベント信号の衝突確率を低くして確実に中継することができる。
【図面の簡単な説明】
【００２６】
【図１】本発明による住警器の外観を示した説明図
【図２】住宅に対する住警器の設置状態を示した説明図
【図３】本発明による住警器の実施形態を示したブロック図
【図４】本実施形態で使用するイベント信号のフォーマットを示した説明図
【図５】図３のメモリに設けたグループ管理テーブル、中継制御情報テーブル及び中継管理テーブルの内容を示した説明図
【図６】本実施形態による基本的な処理を示したタイムチャート
【図７】図６のステップＳ２における中継制御を含む本実施形態による火災監視処理を示したフローチャート
【図８】図７のステップＳ１９，Ｓ２１，Ｓ３０における送信中継制御の詳細を示したフローチャート
【図９】図７のステップＳ１８，Ｓ２５，Ｓ３２における受信中継制御の詳細を示したフローチャート
【図１０】図６のステップＳ３における中継制御を含む本実施形態による障害監視処理を示したフローチャート
【発明を実施するための形態】
【００２７】
図１は本発明による無線式の住警器の外観を示した説明図であり、図１（Ａ）に正面図を、図１（Ｂ）に側面図を示している。
【００２８】
図１において、本実施形態の住警器１０はカバー１２と本体１４で構成されている。カバー１２の中央には、周囲に煙流入口を開口し、その内部には検煙部１６が配置され、火災による煙が所定濃度に達したときに火災を検出するようにしている。
【００２９】
カバー１２に設けた検煙部１６の左下側には音響穴１８が設けられ、この背後にブザーやスピーカを内蔵し、警報音や音声メッセージを出力できるようにしている。検煙部１６の下側には警報停止スイッチ２０が設けられている。警報停止スイッチ２０は住警器の機能点検を指示する点検スイッチとしての機能を兼ねている。例えば、火災警報時に警報停止スイッチ２０が操作されると警報を停止し、通常状態で警報停止スイッチ２０が操作されると機能点検を開始して結果を報知する。
【００３０】
警報停止スイッチ２０は、半透明部材で形成されたスイッチカバーと、スイッチカバーの内部に配置されたタクトスイッチ（図示せず）とで構成されている。スイッチカバー内部のタクトスイッチ近傍には、点線で示すようにＬＥＤ２２が配置されており、ＬＥＤ２２が点灯すると、警報停止スイッチ２０のスイッチカバーの部分を透過してＬＥＤ２２の点灯状態が外部から分かるようにしている。
【００３１】
また本体１４の裏側上部には取付フック１５が設けられており、設置する部屋の壁にビスなどをねじ込み、この取付フック１５にビスで取り付けることで、壁面に住警器１０を設置することができる。
【００３２】
なお図１の住警器１０にあっては、検煙部１６を備えた火災による煙を検出する住警器を例にとっているが、これ以外に火災による熱を検出するサーミスタ等の温度検出素子を備えた住警器や火災に伴うその他の物理現象を検出する住警器、火災以外にガス漏れを検出する警報器、侵入者や地震その他の異常を検出する各種の警報器、これらを組み合わせて成る警報器についても、本発明の対象に含まれる。
【００３３】
また、本発明の警報システムは、上記のような異なる警報器を混在させるものであっても良い。
【００３４】
図２は住宅に対する本実施形態の住警器の設置状態を示した説明図である。図２の例にあっては、住宅２４に設けられている台所、居間、主寝室、子供部屋のそれぞれに本実施形態の住警器１０−１〜１０−４が設置され、更に屋外に建てられたガレージ２６にも住警器１０−５を設置している。
【００３５】
住警器１０−１〜１０−５のそれぞれは、イベント信号を相互に無線により送受信する機能及び中継の有無を制御してイベント信号を中継する機能を備えており、更に５台の住警器１０−１〜１０−５で１つのグループを構成して、この住宅全体の火災監視を行っている。
【００３６】
いま住宅２４の子供部屋で万一、火災が発生したとすると、住警器１０−４が火災を検出して警報を開始する。この火災を検出して警報を開始することを、住警器における「発報」という。住警器１０−４が発報すると、住警器１０−４は連動元として機能し、連動先となる他の住警器１０−１〜１０−３，１０−５に対し、火災発報を示すイベント信号を無線により送信する。他の住警器１０−１〜１０−３，１０−５の内、連動元の住警器１０−４からの火災発報を示すイベント信号を受信した住警器は、連動先としての警報動作を行うと共に受信したイベント信号を許容された中継の有無を示す中継制御情報に基づき他の住警器に中継するか否か制御する。
【００３７】
ここで連動元となった住警器１０−４の警報音としては、例えば音声メッセージにより「ウーウー  火災警報器が作動しました  確認してください」を連続して出力するとともに、ＬＥＤ２２を点灯駆動する。一方、連動先の住警器１０−１〜１０−３，１０−５にあっては、「ウーウー  別の火災警報器が作動しました  確認してください」といった音声メッセージを連続して出力するとともに、ＬＥＤ２２を所定の第１周期で点滅駆動する。
【００３８】
住警器１０−１〜１０−５が警報音を出している状態で、図１に示した住警器に設けている警報停止スイッチ２０を操作すると、警報音の停止処理が行われる。ここで、本実施形態の警報音の停止処理としては次のいずれかの停止処理を行う。
【００３９】
（１）連動元として警報中の住警器１０−４の警報停止スイッチを操作すると、連動先を含め全ての住警器１０―１〜１０―５の警報音を停止する。
【００４０】
このとき、連動先の住警器１０―１〜１０―３、１０―５に於いてはＬＥＤ２２を消灯するが、連動元のＬＥＤ２２だけは所定の点灯・点滅・明滅を、少なくとも所定期間継続させても良い。これにより連動元の発報履歴が残ることになり、消火後の発報元特定や、誤報・非火災報を発した住警器の特定が容易になる。
【００４１】
（２）連動先として警報中の住警器１０−１〜１０−３、１０−５の内の任意の住警器の警報停止スイッチを押すと、連動元の住警器１０−４のみが警報音の出力を継続し、連動先の住警器１０−１〜１０−３，１０−５は警報音出力を停止する。
【００４２】
このとき、連動元の住警器１０−４に於いてはＬＥＤ２２を点灯継続するか、連動先の第１周期とは異なる第２周期で点滅駆動させても良い。そして、連動先の住警器１０−１〜３、１０―５に於いては、ＬＥＤ２２を消灯しても良いが、第１の周期で点滅を継続しても良いし、連動元と同じ第２の周期で点滅するようにしても良い。このようにして、連動元の住警器１０―４の警報音が聞こえない場所に設置されている連動先の警報器においても、連動元が引き続き警報中であることを知ることが出来ると同時に、警報停止操作を行った連動先警報器からの警報停止信号が受け付けられた他の警報器を明確に識別特定することができる。
【００４３】
（３）警報中の住警器１０−１〜１０−５の内の任意の住警器の警報停止スイッチを操作すると、連動先、連動元に関わらず、全ての住警器の警報音を停止する。
【００４４】
このとき、各住警器のＬＥＤ２２は、（１）と同様の制御とすることが出来る。
【００４５】
（４）前記（１）の停止処理を第１モード、前記（２）の停止処理を第２モード、前記（３）の停止処理を第３モードとし、少なくとも２つのモードからいずれかのモードを選択して停止処理を行う。
【００４６】
図３は本発明による住警器の実施形態を示したブロック図である。図３は図２に示した５台の住警器１０−１〜１０−５につき、その内の住警器１０−１について回路構成を詳細に示している。他の住警器１０−２〜１０―５についても、住警器１０−１と同様の構成を備えている。
【００４７】
住警器１０−１はＣＰＵ２８を備え、ＣＰＵ２８に対してはアンテナ３１を備えた無線回路部３０、記録回路部３２、センサ部３４、報知部３６、操作部３８を設け、必要各部に電源を供給する電池電源４０を備えている。
【００４８】
無線回路部３０には送信回路４２と受信回路４４が設けられ、他の住警器１０−２〜１０−５との間でイベント信号を無線により送受信し、またイベント信号を中継できるようにしている。無線回路部３０としては、日本国内の場合には、例えば４００ＭＨｚ帯の特定小電力無線局の標準規格として知られたＳＴＤ−３０（小電力セキュリティシステム無線局の無線設備標準規格）またはＳＴＤ−Ｔ６７（特定小電力無線局テレメータ用、テレコントロール用及びデータ伝送用無線設備の標準規格）に準拠した構成を備える。
【００４９】
もちろん無線回路部３０としては、日本国内以外の場所については、その地域の割当無線局の標準規格に準拠した内容を持つことになる。
【００５０】
記録回路部３２にはメモリ４６が設けられている。メモリ４６には住警器を特定するＩＤ（識別子）となる送信元符号５２と、図２のように複数の住警器で連動警報を行うグループを構成するためのグループ符号５４が格納されている。送信元符号５２としては、国内に提供される住警器の数を予測し、例えば同一符号として重複しないように２６ビットの符号コードが使用される。
【００５１】
グループ符号５４はグループを構成する複数の住警器に共通に設定される符号であり、無線回路部３０で受信した他の住警器からのイベント信号に含まれるグループ符号がメモリ４６に登録しているグループ符号５４に一致したときに、このイベント信号を有効な信号として受信して処理することになるので、近隣住宅等に設置された、連動を要しない他グループの警報器との混信を回避出来る。
【００５２】
またメモリ４６にはグループ管理テーブル７４、中継制御情報テーブル７６及び中継管理テーブル７８が設けられる。グループ管理テーブル７４にはグループを構成する住警器１０−１〜１０−５の送信元符号を予め登録している。中継制御情報テーブル７６にはイベント種別に応じて中継の有無を示す中継制御情報が予め登録されている。中継管理テーブル７８には一度中継したイベント信号に関する情報が記憶されている。
【００５３】
センサ部３４には、本実施形態にあっては検煙部１６が設けられている。検煙部１６は煙をとらえると検出信号を出力する。検煙部１６から検出信号はＣＰＵ２８に取り込まれ（ＡＤ変換）、ＣＰＵ２８側で所定の火災レベルを超えると火災発報を判別し、また、検煙部１６からの検出信号が低下して火災レベルを下回ることで火災発報がなくなったこと（火災復旧）を判別するようにしている。
【００５４】
センサ部３４には検煙部１６以外に、火災による温度上昇を検出するサーミスタを設けてもよい。またガス漏れ監視用の警報器の場合には、センサ部３４にガス漏れセンサが設けられることになる。
【００５５】
報知部３６にはスピーカ５８とＬＥＤ２２が設けられている。スピーカ５８は、図示しない音声合成回路部からの音声メッセージや警報音を出力する。ＬＥＤ２２は図示しない駆動回路を介して点滅や明滅、点灯などにより、火災などの異常を表示する。
【００５６】
操作部３８には警報停止スイッチ２０が設けられている。警報中に警報停止スイッチ２０を操作すると、住警器１０−１から出力している警報音を停止することができる。警報停止スイッチ２０は、本実施形態にあっては点検スイッチと兼用している。警報停止スイッチ２０は、警報中に操作されたときにのみ警報停止操作として受け付けられる。一方、警報音を出力していない通常監視状態で警報停止スイッチ２０は点検スイッチとして機能し、警報中以外のときに点検スイッチが操作されると、報知部３６から点検用の音声メッセージなどが出力される。
【００５７】
電池電源４０は、例えば所定セル数のリチウム電池やアルカリ乾電池を使用しており、電池容量としては住警器１０−１における無線回路部３０を含む回路部全体の低消費電力化により、約１０年の電池寿命を保証している。
【００５８】
ＣＰＵ２８にはプログラムの実行により実現される機能として、イベント処理部６０と中継処理部６２が設けられている。
【００５９】
イベント処理部６０は、センサ部３４の検出信号に基づく異常（火災）発生、操作部３８による警報停止、電池電源４０又はセンサ部３４の障害検出、センサ部３４の検出信号に基づく異常がなくなる異常復旧、及び電池電源４０又はセンサ部３４の障害がなくなる障害復旧等の状態変化をイベントとして検知した時に、連動元としてのイベント対応処理を行った後に、検知イベントを示すイベント信号を連動先の警報器に送信させ、一方、連動元の警報器からイベント信号を受信した時に、自身が連動元でない場合には、連動先としてのイベント対応処理を行わせる。
【００６０】
この機能を実現するためイベント処理部６０には、異常（火災）監視部６４、障害検出部６５を含むイベント検知部６１、警報停止部６６及び復旧部６８が設けられている。
【００６１】
異常監視部６４は、センサ部３４に設けた検煙部１６からの検出信号に基づいて火災を判別したときに、報知部３６のスピーカ５８から連動元を示す警報音例えば「ウーウー  火災警報器が作動しました  確認してください」を繰り返し出力させると共にＬＥＤ２２を駆動し、そしてイベント処理部６０の、図示しない通信制御部を介して火災発報を示すイベント信号を無線回路部３０の送信回路４２によりアンテナ３１から他の住警器１０−２〜１０−５に向けて送信させる。
【００６２】
また異常監視部６４は、他の住警器１０−２〜１０−５のいずれかから火災発報を示すイベント信号を無線回路部３０の受信回路４４により受信したときに、自身が連動元でない場合には、報知部３６のスピーカ５８から連動先を示す警報音例えば「ウーウー  別の火災警報器が作動しました  確認してください」となる音声メッセージを連続的に出力させる。
【００６３】
ここで、異常監視部６４で火災発報を検知して連動元警報音を出すときには、報知部３６のＬＥＤ２２を例えば明滅させ、一方、連動先警報音を出す場合には、報知部３６のＬＥＤ２２を点滅させる。若しくは、連動元警報音を出す場合と連動先警報音を出す場合について、ＬＥＤの発光周期を異ならせる。これによって、連動元警報と連動先警報におけるＬＥＤ２２の表示を区別できるようにしている。さらには、ＬＥＤ発光の明るさを両者に於いて異ならせることで、どちらかの警報器の電力消耗を抑制することが出来る。例えば、連動元は監視エリア内に火災が発生していることから、目視確認を目的とする警報（表示警報）は重要度が相対的に低いとも考えられ、連動元については発光周期を連動先に比べて長くしたり、表示を暗くしたり、表示警報を行わないようにすることもできる。
【００６４】
もちろん、連動元警報と連動先警報のいずれについても、同じＬＥＤ２２の明滅または点滅表示であってもよい。
【００６５】
警報停止部６６は、連動元を示す警報出力中に操作部３８に設けている警報停止スイッチ２０の操作を検出したとき、スピーカ５８から出力している連動元を示す警報音を停止させると共に、警報停止のイベント信号を、図示しない通信制御部を介して無線回路部３０の送信回路４２から他の住警器１０−２〜１０−５に送信し、他の住警器１０−２〜１０−５における連動先の警報音を停止させる。
【００６６】
この場合、スピーカ５８から出力している連動元を示す警報音を停止させずに、警報停止のイベント信号を無線回路部３０の送信回路４２から他の住警器１０−２〜１０−５に送信し、他の住警器１０−２〜１０−５における連動先の警報音を停止させ、連動元警報だけは残すようにしても良い。もちろん、前述の（１）〜（３）で示した第１〜第３のモード、また（４）で選択された第１〜第３のモードの停止処理に従って動作させることも出来る。
【００６７】
また警報停止部６６は、連動先を示す警報中に自身の操作部３８の警報停止スイッチ２０の操作を検出したとき、スピーカ５８から出力している連動先を示す警報音を停止させると共にＬＥＤ２２に対し所定の表示制御を行い、警報停止のイベント信号を無線回路部３０の送信回路４２から他の住警器１０−２〜１０−５に送信する。
【００６８】
更に警報停止部６６は、連動先を示す警報出力中に他の住警器１０−２〜１０−５から警報停止のイベント信号を無線回路部３０の受信回路４４により受信したときは、連動先を示す警報音を停止させると共に、所定の表示制御を行う。
【００６９】
復旧部６８は、センサ部３４に設けた検煙部１６から煙がなくなることで火災が判別されなくなった時に、連動元警報を停止させて通常状態に戻す共に、火災復旧を示すイベント信号を図示しない通信制御部を介して無線回路部３０の送信回路４２から連動先の住警器１０−２〜１０−５に送信させ、一方、自身が連動先として動作している場合に、他の住警器１０−２〜１０−５のいずれかから火災復旧を示すイベント信号を無線回路部３０の受信回路４４で受信した時に、連動先警報を停止させて通常状態に戻す。
【００７０】
これよって、住警器１０−１で連動元警報が出されその後火災状態が解消し、センサ部３４からの検出信号が火災レベルを下回った場合には、復旧処理部６４により自動的に連動元の警報音は停止して通常の監視状態に復旧することができる。このとき、ＬＥＤ２２については、履歴表示として所定の駆動を行っても良い。
【００７１】
同時に住警器１０−１から連動先警報を出している他の住警器１０−２〜１０−５に火災復旧を示すイベント信号が送信され、それぞれの連動元警報を自動的に停止させることができ、住警器１０−２〜１０−５に出向いて警報停止操作を行う必要はない。
【００７２】
中継制御部６２の機能は送信中継制御部７０と受信中継制御部７２に分けられる。送信中継制御部７０は、イベント発生時に連動先の警報器に送信するイベント信号にメモリ４６に予め登録された中継制御情報テーブル７６に基づき、中継の有無を示す中継制御情報をイベント信号にセットする。送信処理は、図示しない通信制御部で行う。もちろん、送信中継制御部７０で送信処理までを行うようにしても良い。
【００７３】
また受信中継制御部７２は、他の警報器からイベント信号または中継イベント信号を受信した時に、イベント信号または中継イベント信号に含まれる中継制御情報に基づいて中継の有無を制御する。メモリ４６の中継情報テーブル７６には、後の説明で明らかにするように、イベント種別に応じて中継の有無が予め登録されている。なお、以下の説明では、中継イベント信号も単にイベント信号として説明する。
【００７４】
また、イベント処理部６０は、イベント信号に送信毎に順次増加する連続番号〔以下「連番」という〕と送信元符号を含めて送信しており、これを受けて中継制御部６２の受信中継制御部７２は、連動元又は中継元の警報器からイベント信号を受信した時に、イベント信号に含まれる連番と送信元符号の組を、メモリ４６の中継管理テーブル７４に記憶している既に受信済みの連続番号と送信元符号の組と比較し、一致した場合は同じイベント信号は既に中継済みであることから、イベント信号の中継を終了させ、同じイベント信号を繰り返し中継しないようにしている。
【００７５】
更に、受信中継制御部７２は、中継管理テーブル７８に予め登録している連動グループを構成する住警器毎に異なる遅延タイミングによりイベント信号を中継送信する。遅延タイミングは他の住警器からイベント信号を受信してから中継送信するまでのタイムラグを設定する情報であり、複数の住警器が同時にイベント信号を受信しても、異なる遅延タイミングの設定によりイベント信号を中継送信するタイミングを相互に異ならせ、複数の住警器の同時中継によるイベント信号の衝突を回避できる。
【００７６】
なお、図３にあっては、中継制御部６２を送信中継制御部７０と受信中継制御部７２に分けて説明しているが、両方の機能を備えた中継制御部６２のみであっても同じである。この処理の詳細は、後に詳しく説明する。
【００７７】
また、「中継有り」は、必ずしも一回（一段）中継を意味しない。予め定められた所定の複数回とすることができる。そして、これをイベント種別毎に異ならせても良い。例えば、火災等の緊急イベントは比較的多く、緊急度の低いイベントは比較的少なく設定しておく。
【００７８】
このような住警器１０−１に設けた回路部は他の住警器１０−２〜１０−５についても同様であり、メモリ４６に格納している送信元符号５２がシリアル番号等の各住警器固有の符号となっている。
【００７９】
図４は本実施形態で使用するイベント信号のフォーマットを示した説明図である。図４において、イベント信号４８は連番５０、送信元符号５２、グループ符号５４、中継情報５５及びイベント符号５６で構成されている。
【００８０】
連番５０はイベント信号の順番を示す連続番号であり、イベント信号を送信する毎に１つずつ増加させる。また、連番５０は住警器１０−１〜１０−５の各々で非同期に生成している。
【００８１】
この連番は、例えば点検処理時や復旧処理時に各住警器個別に初期化するようにしても良いし、点検連動処理時や復旧連動処理時に、グループ内の全住警器一斉に初期化するようにしても良い。また中継管理テーブルに記憶しておく連番と送信元符号の組は、その送信元符号について最新のものだけを記憶しておくようにすれば、連番と送信元符号の組が重複することによる無駄な中継を避けることが出来る。加えて、住警器のメモリ容量が少なくて済む。
【００８２】
送信元符号５２は例えば２６ビットの符号である。またグループ符号５４は例えば８ビットの符号であり、同一グループを構成する例えば図３の５台の住警器１０−１〜１０−５につき同じグループ符号が設定されている。
【００８３】
なおグループ符号５４としては、同一グループの住警器に同一のグループ符号を設定する以外に、予め定めたグループを構成する住警器に共通な基準符号と、各住警器に固有な送信元符号との演算から求めた住警器ごとに異なるグループ符号であってもよい。
【００８４】
中継情報５５はイベント信号について中継有り又は中継無しを制御する情報であり、連動元の住警器が中継情報テーブル７６から取得したイベント種別に対応した中継制御情報をイベント信号に設定して送信する。
【００８５】
イベント符号５６は、火災、ガス漏れなどのイベント内容を表す符号であり、本実施形態にあっては３ビット符号を使用しており、例えば「００１」で火災、「０１０」でガス漏れ、「０１１」で復旧、「１００」で警報停止、「１０１」で障害、「１１０」で障害復旧、「１１１」をリザーブとしている。なおイベント符号５６のビット数は、イベントの種類が増加したときには更に４ビット、５ビットと増加させることで、複数種類のイベント内容を表すことができる。
【００８６】
図５（Ａ）は図３のメモリ４６に記憶したグループ管理テーブル７４の内容を示した説明図であり、図３の同一グループに属する住警器１０−１〜１０−５の送信元符号を１０１，１０２，１０３，１０４，１０５とした場合を例にとっている。
【００８７】
グループ管理テーブル７４の登録処理は、例えば工場出荷時や住宅に設置するときに、５台の住警器１０−１〜１０−５を作業テーブルなどの１箇所に並べて発報登録作業を行うことで実現できる。
【００８８】
ここで示す一例としての発報登録作業は、住警器１０−１〜１０−５の内のいずれか１つを順次、登録送信モードとして登録イベント信号を送信し、登録受信モードにより待受け状態となっている他の住警器で登録イベント信号を受信し、登録イベント信号に含まれる送信元符号を取得してメモリ４６のグループ管理テーブル７０に登録する処理を行わせる。ここに登録された送信元符号から、演算処理によりグループ内住警器に共通の共通符号を生成する。簡単な例として、それぞれの送信元符号の下数桁を加算した値とすること等が出来る。もちろん、予め決定した共通符号を、同一グループに属する住警器に直接登録するようにしても良い。
【００８９】
図５（Ｂ）は図３のメモリ４６に記憶した中継情報テーブル７６の内容を示した説明図であり、イベント種別として、火災、火災復旧、警報停止、障害及び障害復旧に分けて「中継有り」又は「中継無し」を示す中継制御情報を予め登録している。中継制御情報は火災、火災復旧、警報停止といった緊急性の高いイベントについては「中継有り」を設定し、障害や障害復旧といった緊急性の低いイベントについては「中継無し」を設定している。
【００９０】
図５（Ｃ）は図３のメモリ４６に記憶した中継管理テーブル７８の内容を示した説明図であり、例えば送信元符号＝１０２をもつ住警器１０−２からイベント信号を受信して中継した場合の記憶内容を示している。
【００９１】
例えば中継管理テーブル７８に登録が無い状態で住警器１０−２からイベント信号を受信したとすると、受信したイベント信号から連番＝００００１と送信元符号＝１０２の組を取得し、この場合、中継管理テーブル７２に同じ組はないことから、イベント信号を中継送信すると共に、連番＝００００１と送信元符号＝１０２の組を中継管理テーブル７８に登録する。
【００９２】
その後、中継した同じイベント信号が他の住警器による中継を経て再び受信された場合、そのイベント信号から取得した連番と送信元符号の組は、中継管理テーブル７８に登録している組に一致することを判別して中継を終了し、それ以上中継しないようにする。
【００９３】
なお無線通信に関する法規格上、信号送信する端末は送信信号に送信元を特定できる符号を付加しなければならない。このため本実施例の住警器でも、信号送信する際に自身の送信元符号を付加しなければならないことから、実際にはイベント信号４８には送信元符号５２の他に、中継送信元符号を含めることになる。従って連動元となる住警器が発信する（中継でない）イベント信号では、送信元符号と中継送信元符号が同じになる。そして、中継イベント信号を送信する住警器は、自身の中継送信元符号と連動元の送信元符号を含むイベント信号を送信する。以下の説明では、中継送信元符号を省略する。
【００９４】
更に、中継管理テーブル７８には連動グループを構成する住警器毎に異なる遅延タイミングを予め登録している。遅延タイミングは他の住警器からイベント信号を受信してから中継送信するまでのタイムラグを設定する情報であり、複数の住警器が同時にイベント信号を受信しても、異なる遅延タイミングの設定によりイベント信号を中継送信するタイミングを相互に異ならせ、複数の住警器の同時中継によるイベント信号の衝突確率を低くする。
【００９５】
即ち、図３に示した中継制御部６２の受信中継制御部７２は、連動元又は中継元の警報器からイベント信号を受信した時に、連動関係にある他の警報器と異なるタイミングでイベント信号を中継送信する。例えば受信中継制御部７２は、連動元又は中継元の警報器からイベント信号を受信した時に、自己の送信元符号に基づく遅延タイミングでイベント信号を中継送信する。
【００９６】
具体的には、図５（Ｃ）の中継管理テーブル７８を登録している住警器１０−１は、送信元符号＝１０１であることから、送信元符号＝１０１の末尾の「１」を遅延タイミングに登録している。なお、送信元符号＝１０１は２進符号であることから、１グループの最大数を例えば８台とすると、例えば下位３ビットにより遅延タイミングを決めて登録する。このようにして設定された遅延タイミングに、所定の単位時間を乗じて時間変換したうえで遅延処理されることになる。なお、遅延タイミングの決め方は相互に相違すれば良く、ラウンドロビンなどの適宜の方法で決めることができる。必ずしも全ての住警器について相違していなくても、一部が相違することでも所定の効果が得られる。
【００９７】
図６は本実施形態による基本的な処理例を概略的に示したフローチャートであり、電池電源４０による電源供給開始で起動し、まずステップＳ１で初期化処理と自己診断を行う。この処理には、同じ住戸に設置されている例えば５台の住警器１０−１〜１０−５でグループを形成するためのグループ符号の設定などが含まれる。自己診断で故障が無ければステップＳ２の火災監視処理とステップＳ３の障害監視処理を繰り返し実行している。なお、点検指示の割込処理等は省略している。
【００９８】
図７は図６のステップＳ２における中継制御を含む火災監視処理の詳細を示したフローチャートであり、図３のＣＰＵ２８のプログラムの実行による処理となる。
【００９９】
図７において、火災監視処理は、ステップＳ１１で火災発報を監視しており、センサ部３４から出力された検出信号が所定の火災レベルを超えると火災発報を判別してステップＳ１２に進み、送信中継制御を行う。
【０１００】
図８は図７のステップＳ１２の送信中継制御の詳細を示したフローチャートであり、ステップＳ４１で図５（Ｂ）の中継情報テーブル７６を参照し、発生イベントである火災に対応した中継制御情報として「中継有り」を取得し、ステップＳ４２でイベント信号に「中継有り」を設定して図７にリターンする。
【０１０１】
続いてステップＳ１３で、連番、送信元符号、中継有りの中継情報、火災発報を示すイベント符号を含むイベント信号を他の住警器に無線により送信する。続いてステップＳ１４で連動元を示す警報を出力する。
【０１０２】
続いて、ステップＳ１５でセンサ部３４からの検出信号が低下し火災発報がなくなる火災復旧の有無を判別しており、火災発報が継続している場合はステップＳ１６で警報停止スイッチ２０による警報停止操作の有無を判別し、警報停止操作が無ければステップＳ１７で他の住警器からの警報停止のイベント信号の受信の有無を判別する処理を繰り返している。なお、火災発報の継続中にあっては、所定時間毎に火災発報を示すイベント信号の送信を繰り返している。
【０１０３】
ステップＳ１５〜Ｓ１７の処理サイクル中に、センサ部３４からの検出信号が低下し火災発報がなくなるとステップＳ１５で火災復旧が判別され、ステップＳ１９で図８に示した送信中継制御により発生イベントである火災復旧に対応した中継制御情報として「中継有り」をイベント信号に設定した後、ステップＳ２０で連番、送信元符号、中継有り、火災復旧を示すイベント符号を含むイベント信号を他の住警器に送信し、ステップＳ２３に進んで連動元警報を停止し、この場合は通常の監視状態に戻る。
【０１０４】
またステップＳ１７で他の住警器から警報停止イベント信号の受信を判別すると、ステップＳ１８で受信中継制御を行った後、ステップＳ２３に進んで連動元警報を停止する。ここで、ステップＳ１８の受信中継制御の詳細は図９のフローチャートに示すようになる。
【０１０５】
図９の受信中継制御は、ステップＳ５１で受信したイベント信号から連番と送信元符号の組を取得し、ステップＳ５２で中継制御テーブル７４に登録済みの組に一致するか否か判別し、不一致の場合はステップＳ５３に進んで連番と送信元符号の組を中継管理テーブル７８に登録した後、ステップＳ５４でイベント信号から中継情報を取得する。
【０１０６】
続いてステップＳ５５で中継情報５５が「中継有り」か否か判別し、「中継有り」を判別するとステップＳ５８に進んで、図５（Ｃ）の中継管理テーブル７８から取得した遅延タイミングへの到達を監視しており、遅延タイミングへの到達を判別すると、ステップＳ５８に進んで連番、送信元符号、「中継有り」を示す中継情報、警報停止を示すイベント符号を含むイベント信号を中継送信する。
【０１０７】
一方、ステップＳ５５で「中継なし」を判別した場合は、ステップＳ５６でイベント符号が火災発報でないことを条件にステップＳ５９に進んで中継を終了する。ステップＳ５６でイベント符号が火災発報であった場合には、そのイベント信号の中継情報は「中継無し」となっているが、火災発報は緊急性の高い信号であることから、「中継無し」の中継情報を無効化し、ステップＳ５７に進んで遅延タイミングに到達したらステップＳ５８でイベント信号を中継送信する。
【０１０８】
このように「中継なし」を設定した火災発報のイベント信号が連動元から送信される原因は、図５（Ｂ）に示した連動元の中継情報テーブル７６に対する中継制御情報の設定が誤っていることが想定され、このような場合には「中継無し」の情報を強制的に無効化して中継送信する。
【０１０９】
このような無効化処理は、例えば障害、または障害復旧等、他のイベント信号の中継制御情報が誤って「中継有り」となっている場合にも、適宜同様に適用できる。
【０１１０】
一方、ステップＳ５２で中継管理テーブル７８に登録している組に一致した場合は、ステップＳ５９に進んで中継を終了とする。なお、中継管理テーブル７８に登録している組は、次に受信したイベント信号から取得した連番と送信元符号の組の上書きで更新される。また、上書きとせずに、先入れ後出しで一定数の組を記憶するようにしても良い。
【０１１１】
なお、連動元としてイベント信号を送信した場合には、連動先から中継送信されてくるそのイベントを受信したときに再中継しないため、たとえば連動元としてイベント信号を送信するときには、自己の中継管理テーブルに自己の送信元符号と連番を記憶するようにすることが出来る。
【０１１２】
再び図７を参照するに、ステップＳ１６で自己の警報停止操作を判別した場合は、ステップＳ２１に進んで図８に示した送信中継制御により発生イベントである警報停止に対応した中継情報として「中継有り」をイベント信号に設定した後、ステップＳ２２で他の住警器に連番、送信元符号、「中継有り」を示す中継制御情報、警報停止を示すイベント符号を含むイベント信号を送信し、ステップＳ２３で連動元警報を停止する。
【０１１３】
一方、ステップＳ１１で火災発報でなかった場合には、ステップＳ２４で他の住警器から火災発報を示すイベント信号受信の有無を判別している。他の住警器から火災発報を示すイベント信号の受信を判別すると、ステップＳ２５に進んで図９に示した受信中継制御を行って条件判定し、要中継の場合には他の住警器に、連番、送信元符号、「中継有り」を示す中継制御情報、火災発報を示すイベント符号を含むイベント信号を中継送信した後、ステップＳ２６に進んで連動先を示す警報を出力する。
【０１１４】
続いてステップＳ２７で他の住警器からの火災復旧を示すイベント信号の受信の有無を判別しており、火災復旧を示すイベント信号を受信すると、ステップＳ３２に進んで図９に示した受信中継制御を行って、必要に応じ他の住警器に、連番、送信元符号、「中継有り」を示す中継制御情報、復旧を示すイベント符号を含むイベント信号を中継送信した後、ステップＳ３３に進んで連動先警報を停止し、この場合は通常の監視状態に戻る。
【０１１５】
ステップＳ２７で火災復旧を示すイベント信号受信がない場合には、ステップＳ２８で他の住警器からの警報停止を示すイベント信号の受信の有無をチェックしており、警報停止を示すイベント信号の受信を判別すると、ステップＳ３２に進んで図９に示した受信中継制御を行って、必要に応じ他の住警器に、連番、送信元符号、「中継有り」を示す中継制御情報、警報停止を示すイベント符号を含むイベント信号を中継送信した後、ステップＳ３３で連動先を示す警報を停止する。
【０１１６】
ステップＳ２８で警報停止を示すイベント信号受信がない場合には、ステップＳ２９で警報停止スイッチ２０による警報停止操作の有無を判別しており、警報停止操作を判別すると、ステップＳ３１に進んで図９に示した受信中継制御を行って他の住警器に、連番、送信元符号、「中継有り」を示す中継制御情報、警報停止を示すイベント符号を含むイベント信号を中継送信した後、ステップＳ３３で連動先を示す警報を停止する。
【０１１７】
図１０は図６のステップＳ３における中継制御を含む障害監視処理の詳細を示したフローチャートである。
【０１１８】
障害の種類としては、電池電圧の低下（ローバッテリー障害）やセンサの故障（センサ障害）等があるが、自己がローバッテリー障害時には連動元としての不急の警報、例えば障害イベント信号送信や、連動先としての障害イベント信号中継制御を行わないようにして、電池消耗を抑制することも出来る。
【０１１９】
図１０の障害監視処理を、センサ部３４のセンサ障害を例にとって説明すると次のようになる。
【０１２０】
図１０において、ステップＳ６１でセンサ部３４のセンサ障害の検出の有無を監視しており、センサ部３４からの検出信号が所定の零点レベル（通常時正常信号レベル：センサの検出能力が失われていないか確認するため、煙発生のない場合でも若干の信号が出力されるようにしている）を下回るとセンサ障害が検出されてステップＳ６２に進んで図８に示した送信中継制御により発生イベントである障害に対応した中継制御情報として「中継無し」をイベント信号に設定した後、ステップＳ６３で連番、送信元符号、「中継無し」を示す中継制御情報、センサ障害を示すイベント符号を含むイベント信号を他の住警器に無線により送信する。続いてステップＳ６４で連動元を示す警報を出力する。
【０１２１】
続いて、ステップＳ６５でセンサ部３４からの検出信号が零点レベルに回復するか否か判別しており、センサ障害が継続している場合はステップＳ６６で警報停止スイッチ２０による警報停止操作の有無を判別し、警報停止操作が無ければステップＳ６７で他の住警器からの警報停止のイベント信号の受信の有無を判別する処理を繰り返している。なお、センサ障害の継続中にあっては、所定時間毎にセンサ障害を示すイベント信号の送信を繰り返している。
【０１２２】
ステップＳ６５〜Ｓ６７の処理サイクル中に、センサ部３４からの検出信号が零点レベルに回復するとステップＳ６５で障害復旧が判別され、ステップＳ６９に進んで図８に示した送信中継制御により発生イベントである障害復旧に対応した中継制御情報として「中継無し」をイベント信号に設定し、ステップＳ７０で連番、送信元符号、「中継無し」を示す中継制御情報、障害復旧を示すイベント符号を含むイベント信号を他の住警器に送信した後、ステップＳ７３に進んで連動元警報を停止し、この場合は通常の監視状態に戻る。
【０１２３】
またステップＳ６７で他の住警器から警報停止イベント信号の受信を判別すると、ステップＳ６８に進んで図９に示した受信中継制御を行って中継を終了し、ステップＳ７３に進んで連動元警報を停止する。
【０１２４】
更に、ステップＳ６６で自己の警報停止操作を判別した場合はステップＳ７１に進んで図８に示した送信中継制御により発生イベントである警報停止に対応した中継制御情報として「中継有り」をイベント信号に設定した後、ステップＳ７２で他の住警器に、連番、送信元符号、「中継有り」を示す中継制御情報、警報停止を示すイベント符号を含むイベント信号を中継送信し、ステップＳ７３で連動元警報を停止する。
【０１２５】
一方、ステップＳ６１でセンサ障害が検出されなかった場合には、ステップＳ７４で他の住警器からの障害を示すイベント信号受信の有無を判別している。他の住警器からセンサ障害を示すイベント信号の受信を判別すると、ステップＳ７５に進んで図９に示した受信中継制御を行って中継を終了し、ステップＳ７６に進み、連動先を示す障害警報を出力する。
【０１２６】
続いてステップＳ７７で他の住警器からの障害復旧を示すイベント信号の受信の有無を判別しており、障害復旧を示すイベント信号を受信すると、テップＳ８２に進んで図９に示した受信中継制御により中継制御情報として「中継無し」を判別して中継を終了した後、ステップＳ８３に進んで連動先を示す障害警報を停止し、この場合は通常の監視状態に戻る。
【０１２７】
ステップＳ７７で障害復旧を示すイベント信号受信がない場合には、ステップＳ７８で他の住警器からの警報停止を示すイベント信号の受信の有無をチェックしており、警報停止を示すイベント信号の受信を判別すると、ステップＳ８２に進んで図９に示した受信中継制御を行って中継を終了しステップＳ８３で連動先を示す警報を停止する。
【０１２８】
ステップＳ７８で警報停止を示すイベント信号受信がない場合には、ステップＳ７９で警報停止スイッチ２０による警報停止操作の有無を判別しており、警報停止操作を判別するとステップＳ８０に進んで図８に示した送信中継制御により発生イベントである警報停止に対応した中継制御情報として「中継有り」をイベント信号に設定し、ステップＳ８１で、必要に応じ他の住警器に、連番、送信元符号、「中継有り」を示す中継制御情報、警報停止を示すイベント符号を含むイベント信号を中継送信した後、ステップＳ８３で連動先を示す警報を停止する。
【０１２９】
ここで、図１０はセンサ障害を例にとっているが、電池電源４０からの電源電圧が所定電圧以下に低下することで検出するローバッテリー障害についても同様である。もちろん、その他の障害についても同様に適用できる。
【０１３０】
なお上記の実施形態は火災検出を対象とした住警器を例にとるものであったが、これ以外にガス漏れ警報器や、防犯用警報器など、それ以外の適宜の異常を検出する適宜の警報器につき、本実施形態の警報停止処理をそのまま適用することができる。また住宅用に限らずビルやオフィス用など各種用途の警報器にも適用できる。
【０１３１】
また、本発明の中継に係る処理は、例えば親機と子機を設けて子機からのイベント情報を親機経由で連動させていた従来の連動型警報器システムの親機、子機にも適用でき、さらに異なるグループの親機間連動にも適用できる。
【０１３２】
また、本発明は、警報器間通信の一部または全部を有線で行うものについても適宜に適用できる。
【０１３３】
また、上記の実施形態は警報器にセンサ部と警報出力処理部を一体に設けた場合を例にとるが、他の実施形態として、センサ部と警報出力処理部を別体とした警報器であっても良い。
【０１３４】
また本発明は上記の実施形態に限定されず、その目的と利点を損なうことのない適宜の変形を含み、更に上記の実施形態に示した数値による限定は受けない。
【符号の説明】
【０１３５】
１０，１０−１〜１０−５：住警器
１２：カバー
１４：本体
１５：取付フック
１６：検煙部
１８：音響孔
２０：警報停止スイッチ
２２：ＬＥＤ
２４：住宅
２６：ガレージ
２８：ＣＰＵ
３１：アンテナ
３０：無線回路部
３２：記録回路部
３４：センサ部
３６：報知部
３８：操作部
４０：電池電源
４２：送信回路
４４：受信回路
４６：メモリ
４８：イベント信号
５０：連番
５２：送信元符号
５４：グループ符号
５６：イベント符号
５８：スピーカ
６０：イベント処理部
６１：イベント検知部
６２：中継制御部
６４：異常監視部
６５：障害検出部
６６：警報停止部
６８：復旧部
７０：送信中継制御部
７２：受信中継制御部
７４：グループ管理テーブル
７６：中継情報テーブル
７８：中継管理テーブル
【図１】
2010257141.tif 000003
【図２】
2010257141.tif 000004
【図３】
2010257141.tif 000005
【図４】
2010257141.tif 000006
【図５】
2010257141.tif 000007
【図６】
2010257141.tif 000008
【図７】
2010257141.tif 000009
【図８】
2010257141.tif 000010
【図９】
2010257141.tif 000011
【図１０】
2010257141.tif 000012